(57)【要約】【課題】  本発明は平衡伝送用ケーブルコネクタに関し、平衡伝送用ケーブルの端が中継基板に接続されている部位におけるクロストークの発生を抑制することを目的とする。【解決手段】  第１、第２の信号ワイヤ２３−１、２３−２のうち被覆部２４−１、２４−２の端から突き出ている第１、第２の信号ワイヤ部２３−１Ａａ、２３−２Ａａだけが研削されて細い径を有する。この第１、第２の信号ワイヤ部２３−１Ａａ、２３−２Ａａが中継基板７０の第１、第２の端子パッド７６，７７に半田付けしてある。半田付けされて並んでいる第１、第２の信号ワイヤ部２３−１Ａａ、２３−２Ａａは電気絶縁性の合成樹脂部９０、９１によって覆われている。【選択図】  図７
2006260850.tif 000002
【特許請求の範囲】
【請求項１】
電気絶縁性のブロック体にコンタクトが組み込まれている構造であるコンタクト組立体と、
一端側を該コンタクト組立体の背面側に前記コンタクトと接続して設けてあり、他端側に端子パッドが並んでいる中継基板と、
ワイヤとこれを被覆する電気絶縁性の被覆部とよりなる複数の被覆電線を有するケーブルと、
前記コンタクト組立体と前記中継基板と前記ケーブルの端を覆うシールドケースとを有し、
前記被覆電線のワイヤの先端部が前記中継基板の前記端子パッドに固定されて並んでいる構成のケーブルコネクタであって、
上記被覆電線のワイヤのうち前記被覆部の端より出ているワイヤ部を前記ワイヤよりも細くし、
細くしたワイヤ部が前記端子パッドに固定してある構成としたことを特徴とするケーブルコネクタ。
【請求項２】
電気絶縁性のブロック体に、対をなす第１、第２の信号コンタクトと、グランドコンタクトとが、交互に並んで組み込まれている構造であるコンタクト組立体と、
一端側を該コンタクト組立体の背面側に上記第１、第２の信号コンタクト及びグランドコンタクトと接続して設けてあり、他端側の上面に第１の端子パッド、下面に第２の端子パッドが並んでいる構成の中継基板と、
第１の信号ワイヤと第１の被覆部よりなる第１の被覆信号電線と、第２の信号ワイヤと第２の被覆部よりなる第２の被覆信号電線と、ドレンワイヤとよりなるペア電線を複数本有する平衡伝送用ケーブルと、
前記コンタクト組立体と前記中継基板と前記平衡伝送用ケーブルの端を覆うシールドケースとを有し、
前記第１の被覆信号電線の第１の信号ワイヤの先端部が前記第１の端子パッドに固定されて並んでおり、前記第２の被覆信号電線の第２の信号ワイヤの先端部が前記第２の端子パッドに固定されて並んでいる構成の平衡伝送用ケーブルコネクタであって、
前記第１の被覆信号電線の第１の信号ワイヤのうち第１の被覆部の端より出ている第１のワイヤ部を前記第１の信号ワイヤよりも細くし、
前記第２の被覆信号電線の第２の信号ワイヤのうち第２の被覆部の端より出ている第２のワイヤ部を前記第２の信号ワイヤよりも細くし、
細くした第１のワイヤ部が前記第１の端子パッドに固定してあり、細くした第２のワイヤ部が前記第２の端子パッドに固定してある構成としたことを特徴とするケーブルコネクタ。
【請求項３】
請求項２に記載のケーブルコネクタにおいて、
前記第１のワイヤ部が第１の端子パッドに固定してある部分及び前記第２のワイヤ部が第２の端子パッドに固定してある部分を、電気絶縁性の合成樹脂部で覆った構成としたことを特徴とするケーブルコネクタ。
【請求項４】
請求項２に記載のケーブルコネクタにおいて、
前記第１のワイヤ部及び前記第２のワイヤ部は、夫々その根元の部分が径が徐々に増える形状である構成としたことを特徴とするケーブルコネクタ。
【請求項５】
請求項２に記載のケーブルコネクタにおいて、
一本である場合の平衡伝送用ケーブルよりも細い平衡伝送用ケーブルを複数本有する構成であり、
該複数の細い平衡伝送用ケーブルを密接して並んだ状態でかしめてあるロック構造部を有し、
該ロック構造部が前記シールドケースに固定してある構成としたことを特徴とするケーブルコネクタ。
【請求項６】
請求項５に記載のケーブルコネクタにおいて、
上記ロック構造部は、
複数のかしめリングが連結部でもって連結されて一列に並んでいるかしめリング並び部材の各かしめリングに前記細い平衡伝送用ケーブルを挿入した状態で、該かしめリング並び部材の全部のかしめリングを同時にかしめることによって、或いは、ベルト形状のかしめ部材に前記細い平衡伝送用ケーブルを複数本挿入した状態でかしめることによって、形成されたものであることを特徴とするケーブルコネクタ。
【請求項７】
請求項２に記載のケーブルコネクタにおいて、
前記平衡伝送用ケーブルは、外部被覆と遮蔽網組とシールド被覆とよりなる三重被覆構造のチューブの内部に多数本のペア電線が収まっている構造であり、
前記平衡伝送用ケーブルの端に形成してあり前記シールドケースに固定されるロック構造部が、
前記遮蔽網組とシールド被覆との間に挿入されており、外周面がテーパ面であるインナーリングと、
内周面がテーパ面であり、前記外部被覆の外側に嵌合されて、前記インナーリングと嵌合されたアウターリングとよりなり、
前記インナーリングの外周テーパ面と前記アウターリングの内周テーパ面との間で前記外部被覆と遮蔽網組とを挟み込んでいる構成としたことを特徴とするケーブルコネクタ。
【発明の詳細な説明】
【技術分野】
【０００１】
本発明は平衡伝送用ケーブルコネクタに係り、特に高速信号の伝送に適している平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、多く採用されつつある。平衡伝送用ケーブルコネクタは、平衡伝送用ケーブルの端にプラグを備え、プラグの部分がシールドカバーによって覆われている構成であり、平衡伝送方式に適用されて、例えば、コンピュータとサーバとの間の接続に使用される。
【背景技術】
【０００３】
図１及び図２は従来の平衡伝送用ケーブルコネクタ１０を示す。Ｘ１−Ｘ２、Ｙ１−Ｙ２、Ｚ１−Ｚ２は夫々平衡伝送用ケーブルコネクタ１０の幅方向、長手方向、高さ方向である。Ｙ１は後方、Ｙ２は前方である。平衡伝送用ケーブルコネクタ１０は、図４（Ａ），（Ｂ）に示す構造の平衡伝送用ケーブル２０の端が接続してある。図３は図２中、線III-IIIに沿う断面であり、平衡伝送用ケーブル２０の端が中継基板１２に接続されている部分の一部を拡大して示す。
【０００４】
ここで、説明の便宜上、平衡伝送用ケーブル２０について説明する。平衡伝送用ケーブル２０は、図４（Ａ）に示すように、外部被覆２７と遮蔽網組２８とアルミシールド被覆２９とよりなる三重被覆構造のチューブの内部に多数本のペア電線２１が収まっている構造である。各ペア電線２１は、図４（Ｂ）に示すように、平衡信号伝送用の対をなす第１、第２の被覆信号電線２２−１、２２−２とドレンワイヤ２６とが螺旋状に巻かれた金属テープ２５によって束ねられている構造である。ペア電線２１の端からは、第１、第２の被覆信号電線２２−１、２２−２とドレンワイヤ２６とが外側に延びており、第１、第２の被覆信号電線２２−１、２２−２の先端は処理されて裸の第１、第２の信号ワイヤ２３−１、２３−２が露出している。２４−１、２４−２は電気絶縁性の被覆部である。第１、第２の信号ワイヤ２３−１、２３−２がペア線を構成する。第１の被覆信号電線２２−１は、径がＤ１である第１の信号ワイヤ２３−１とこれを被覆する被覆部２４−１とよりなる。第２の被覆信号電線２２−２は、径がＤ１である第２の信号ワイヤ２３−２とこれを被覆する被覆部２４−２とよりなる。２３−１ａ、２３−２ａは第１、第２の信号ワイヤ部であり、被覆部２４−１、２４−２の端から突き出ている部分である。また、平衡伝送用ケーブル２０の端にはロック構造部３５を有する。
【０００５】
再度図１及び図２を参照するに、プラグ組立体１１のＹ１側に中継基板１２が固定してある。中継基板１２のＹ１端側は、図３に示すようにＺ１側の面４１に第１の端子パッド４２が、Ｚ２側の面４３に第２の端子パッド４４が、所定のピッチｐでＸ１−Ｘ２方向に並んで形成してあり、且つ、隣合う第１の端子パッド４２の間にグランドパターン４５が形成してあり、隣合う第２の端子パッド４４の間にグランドパターン４６が形成してある構成である。小型化のためにピッチｐは出来るだけ小さく定めてある。
【０００６】
再度図１及び図２を参照するに、平衡伝送用ケーブル２０の端の各ペア電線２１が整線部材１５によってＸ１−Ｘ２方向に整線されており、図３に併せて示すように、各ペア電線２１の先端の第１の信号ワイヤ部２３−１ａが第１の端子パッド４３に、第２の信号ワイヤ部２３−２ａが第２の端子パッド４４に、ドレンワイヤ２６がグランドパターン４５に、符号１４で示すように半田付け接続してある。
【０００７】
再度図１及び図２を参照するに、シールドカバー３１、３２が、プラグ組立体１１、中継基板１２、及び電線整線部材１５を覆っており、且つロック構造部３５と嵌合しており、プラグ組立体１１及びロック構造部３５のＸ、Ｙ、Ｚ方向の動きを拘束している。
【０００８】
第１、第２の信号ワイヤ部２３−１ａ、２３−２ａは、第１、第２の信号ワイヤ２３−１、２３−２と同じ径である。
【０００９】
Ｘ１−Ｘ２方向上隣り合う第１の信号ワイヤ部２３−１ａの間の距離及び隣り合う第２の信号ワイヤ部２３−２ａの間の距離は共にＡである。
【特許文献１】特開２００３−０５９５９３号公報
【発明の開示】
【発明が解決しようとする課題】
【００１０】
上記の平衡伝送用ケーブルコネクタ１０の内部の信号の伝送経路を検討すると、クロストークが発生する可能性のある部位は、平衡伝送用ケーブル２０の端が中継基板１２に接続されている部位である。裸の第１、第２の信号ワイヤ部２３−１ａ、２３−２ａが空間を介して隣り合っているからである。
【００１１】
なお、隣合う第１の端子パッド４３の間はその間に存在しているグランドパターン４５によってシールドされており、隣合う第２の端子パッド４４の間はその間に存在しているグランドパターン４６によってシールドされているため、隣合う第１、第２の端子パッド４３、４４の間でのクロストークの発生は抑えられている。
【００１２】
平衡伝送用ケーブルコネクタ１０は、径の細い信号ワイヤを使用すると電気抵抗が高くなって信号伝送の特性が低下する傾向にある。よって、信号を伝送する距離に応じて、所定の径の第１、第２の信号ワイヤ２３−１、２３−２を有する平衡伝送用ケーブル２０が使用されており、特に、長さ（平衡伝送用ケーブルの両端の平衡伝送用ケーブルコネクタの間の距離）が長い平衡伝送用ケーブルコネクタについては、太い径の第１、第２の信号ワイヤが使用されている。
【００１３】
このため、特に、長さが長い平衡伝送用ケーブルコネクタについては、Ｘ１−Ｘ２方向上隣り合う第１の信号ワイヤ部２３−１ａの間の距離Ａ及び隣り合う第２の信号ワイヤ部２３−２ａの間の距離Ａが短くなって、この部分でクロストークが発生する虞れがあった。
【００１４】
そこで、平衡伝送用ケーブル２０の端が中継基板１２に接続されている部位におけるクロストークの発生を抑えるために、長さの長い平衡伝送用ケーブルコネクタについても、細い径の第１、第２の信号ワイヤの平衡伝送用ケーブルを使用することが考えられるけれども、このようにすると、第１、第２の信号ワイヤの電気抵抗が増加して信号伝送の特性が低下してしまう。
【００１５】
本発明は、上記の点に鑑みなされたものであり、信号伝送の特性を維持しつつ、平衡伝送用ケーブルの端が中継基板に接続されている部位におけるクロストークの発生を抑制することを図ったケーブルコネクタを提供することを目的とする。
【課題を解決するための手段】
【００１６】
そこで、上記課題を解決するため、本発明は、電気絶縁性のブロック体に、対をなす第１、第２の信号コンタクトと、グランドコンタクトとが、交互に並んで組み込まれている構造であるコンタクト組立体と、
一端側を該コンタクト組立体の背面側に上記第１、第２の信号コンタクト及びグランドコンタクトと接続して設けてあり、他端側の上面に第１の端子パッド、下面に第２の端子パッドが並んでいる構成の中継基板と、
第１の信号ワイヤと第１の被覆部よりなる第１の被覆信号電線と、第２の信号ワイヤと第２の被覆部よりなる第２の被覆信号電線と、ドレンワイヤとよりなるペア電線を複数本有する平衡伝送用ケーブルと、
前記コンタクト組立体と前記中継基板と前記平衡伝送用ケーブルの端を覆うシールドケースとを有し、
前記第１の被覆信号電線の第１の信号ワイヤの先端部が前記第１の端子パッドに固定されて並んでおり、前記第２の被覆信号電線の第２の信号ワイヤの先端部が前記第２の端子パッドに固定されて並んでいる構成の平衡伝送用ケーブルコネクタであって、
前記第１の被覆信号電線の第１の信号ワイヤのうち第１の被覆部の端より出ている第１のワイヤ部を前記第１の信号ワイヤよりも細くし、
前記第２の被覆信号電線の第２の信号ワイヤのうち第２の被覆部の端より出ている第２のワイヤ部を前記第２の信号ワイヤよりも細くし、
細くした第１のワイヤ部が前記第１の端子パッドに固定してあり、細くした第２のワイヤ部が前記第２の端子パッドに固定してある構成としたことを特徴とする。
【発明の効果】
【００１７】
本発明によれば、細くしてあるのは第１、第２のワイヤ部だけであるため、第１、第２の信号ワイヤの全長の電気抵抗が無用に高くなることはなく、よって、伝送信号の品質は良好に維持することが出来る。しかも、第１、第２のワイヤ部は細くしてあるので、第１の端子パッドに固定されて隣り合っている第１のワイヤ部の間の距離、及び第２の端子パッドに固定されて隣り合っている第２のワイヤ部の間の距離は、通常よりも長くなり、第１、第２のワイヤ部が第１、第２の端子パッドに固定されて並んでいる部分におけるクロストークの発生を従来に比べて抑制することが出来る。
【発明を実施するための最良の形態】
【００１８】
次に本発明の実施の形態について説明する。
【実施例１】
【００１９】
図５は本発明の実施例１になる平衡伝送用ケーブルコネクタ５０を分解して示し、図６は断面して示す。Ｘ１−Ｘ２、Ｙ１−Ｙ２、Ｚ１−Ｚ２は夫々平衡伝送用ケーブルコネクタ５０の幅方向、長手方向、高さ方向である。Ｙ１は後方、Ｙ２は前方である。平衡伝送用ケーブルコネクタ５０は、図８（Ａ）乃至（Ｃ）に示す構造の平衡伝送用ケーブル２０Ａの端が接続してある。図７は図６中、線VII-VIIに沿う断面であり、平衡伝送用ケーブル２０Ａの端が中継基板７０に接続されている部分の一部を拡大して示す。
【００２０】
図５及び図６に示すように、平衡伝送用ケーブルコネクタ５０は、平衡伝送用ケーブル２０Ａの端が中継基板７０の端と接続されており、シールドカバー５１、５２が、プラグ組立体６０、中継基板７０、電線整線部材８０、及び平衡伝送用ケーブル２０Ａが中継基板７０と接続されている部分を覆っており、平衡伝送用ケーブル２０Ａの端にかしめて形成してあるロック構造部３５がシールドカバー５１、５２の溝部に嵌合している構造である。
【００２１】
コンタクト組立体６０は、電気絶縁性のブロック体６１に、対をなす第１、第２の信号コンタクト６２，６３と、グランドコンタクト６４とが、Ｘ方向上交互に並んで組み込まれている構造である。
【００２２】
中継基板７０は、前記の中継基板１２と実質的に同じ構造であり、上面７１と下面７２とに、信号パターン７３及びグランドパターン７４、７５が形成してあり、各信号パターン７３はＹ方向に平行に延在しており、その両端に端子パッドを有する。中継基板７０は、そのＹ２側を、コンタクト組立体６０のＹ１側に嵌合されており、信号コンタクト６２，６３及びグランドコンタクト６４のＹ１側端が信号パターン及びグランドパターンと半田付けされている。
【００２３】
中継基板７０のＹ１端側は、図７に示すように、上面７１に第１の端子パッド７６が、下面７２に第２の端子パッド７７が、所定のピッチｐでＸ１−Ｘ２方向に並んで形成してあり、且つ、隣合う第１の端子パッド７６の間にグランドパターン７４が形成してあり、隣合う第２の端子パッド７７の間にグランドパターン７５が形成してある構成である。
【００２４】
平衡伝送用ケーブル２０Ａは、第１、第２の信号ワイヤ部２３−１Ａａ、２３−２Ａａを除いて、図４に示す平衡伝送用ケーブル２０と同じ構造である。平衡伝送用ケーブル２０Ａは、図８（Ａ）に示すように、外部被覆２７と遮蔽網組２８とよりなる二重被覆構造のチューブの内部に多数本のペア電線２１が収まっている構造である。各ペア電線２１は、図８（Ｂ）に示すように、平衡信号伝送用の対をなす第１、第２の被覆信号電線２２−１、２２−２とドレンワイヤ２６とが螺旋状に巻かれた金属テープ２５によって束ねられており、端から、第１、第２の被覆信号電線２２−１、２２−２とドレンワイヤ２６とが外側に延びている構成である。第１、第２の被覆信号電線２２−１、２２−２は、夫々径がＤ１である第１、第２の信号ワイヤ２３−１、２３−２とこれを被覆する被覆部２４−１、２４−２とよりなる。図８（Ｃ）に併せて示すように、被覆部２４−１、２４−２の端から突き出ている第１、第２の信号ワイヤ部２３−１Ａａ、２３−２Ａａは後述するように処理されており、Ｄ１より細い径Ｄ２を有する。例えばＤ１は０．５ｍｍ、Ｄ３は０．３ｍｍである。第１、第２の信号ワイヤ部２３−１Ａａ、２３−２Ａａの長さｙ１は１〜３ｍｍと短い。
【００２５】
平衡伝送用ケーブル２０Ａの端の各ペア電線２１が整線部材８０によってＸ１−Ｘ２方向に整線されており、整線部材８０が中継基板７０のＹ１端側と嵌合してある。また、図７に併せて示すように、各ペア電線２１の先端の第１の信号ワイヤ部２３−１Ａａが第１の端子パッド７６に、第２の信号ワイヤ部２３−２Ａａが第２の端子パッド７７に、ドレンワイヤ２６がグランドパターン７４に、符号７８で示すように半田付け接続固定してある。接続固定は半田付け以外の方法でもよい。また、電気絶縁性の補強用合成樹脂部９０、９１が、夫々半田付けされて並んでいる第１、第２の信号ワイヤ部２３−１Ａａ、２３−２Ａａを覆っている。
【００２６】
平衡伝送用ケーブル２０Ａの端が中継基板７０に接続されている部分に注目する。図７に示すように、Ｘ１−Ｘ２方向上隣り合う第１の信号ワイヤ部２３−１Ａａの間の距離及び隣り合う第２の信号ワイヤ部２３−２Ａａの間の距離は共にＢである。距離Ｂは図３に示す対応する距離Ａより、０、４ｍｍ長くなっており、従来の平衡伝送用ケーブルコネクタに比較してこの部分でのクロストークの発生が抑制されている。
【００２７】
また、隣り合う第１の信号ワイヤ部２３−１Ａａの間は電気絶縁性の補強用合成樹脂部９０によって占められており、隣り合う第２の信号ワイヤ部２３−２Ａａの間は電気絶縁性の補強用合成樹脂部９１によって占められているため、このことによって、この部分でのクロストークの発生は更に抑えられている。
【００２８】
よって、平衡伝送用ケーブルコネクタ５０は、信号の品質を維持して伝送させることが出来、しかも、平衡伝送用ケーブル２０Ａと中継基板７０との接続部分でのクロストークの発生を抑えることが可能であるという特性を有する。
【００２９】
図９（Ａ），（Ｂ）は、第１、第２の信号ワイヤ２３−１、２３−２のうち被覆部２４−１、２４−２から先に突き出ている部分を細くして第１、第２の信号ワイヤ部２３−１Ａａ、２３−２Ａａを形成するための装置１００を示す。装置１００は、二つのローラ１０１，１０２を有する構成である。各ローラ１０１，１０２には、断面が半円状であり、全周に亘って形成してあり、内面がヤスリ状になっている溝部１０１ａ，１０２ａが形成してある。ローラ１０１，１０２は、接触して配置してあり、互いに逆方向に回転する。ローラ１０１，１０２が接触している部分では、溝部１０１ａ，１０２ａが図９（Ｂ）に示すように合わさって径が０．３ｍｍの円の穴１０３が形成されている。第１、第２の信号ワイヤ２３−１、２３−２の先端部をこの穴１０３内に挿入することによって、ワイヤの表面が研削されて細くされて、第１、第２の信号ワイヤ部２３−１Ａａ、２３−２Ａａが形成される。
【００３０】
なお、エッチング等によってもワイヤの先端部分の径を細くすることが可能である。
【００３１】
図１０（Ａ），（Ｂ）は別の第１の被覆信号電線２２−１Ｂを示す。第１の被覆信号電線２２−１Ｂは、第１の信号ワイヤ部２３−１Ｂａの根元の部分が、テーパ形状部２３−１Ｂｂとなっており、径が徐々に増えるように変化しているようになっている。これによって、第１の信号ワイヤ部２３−１Ｂａが中継基板７０に半田付けされて平衡伝送用ケーブルコネクタが構成された状態で、第１の信号ワイヤ部２３−１Ｂａの根元の部分に応力の集中が起き難くなっている。また、テーパ形状部２３−１Ｂｂの代えて、断面が円弧形状となるようにしてもよい。即ち、径が徐々に変化するようにすればよい。
【実施例２】
【００３２】
図１１は本発明の実施例２になる平衡伝送用ケーブルコネクタ５０Ａを分解して示す。平衡伝送用ケーブルコネクタ５０Ａは図５に示す平衡伝送用ケーブルコネクタ５０とは、
平衡伝送用ケーブル及びシールドカバー５１Ａ、５２Ａが相違する。
【００３３】
前記の平衡伝送用ケーブル２０Ａに代えて、径が平衡伝送用ケーブル２０Ａの約１／３と細い三本の平衡伝送用ケーブル１０１、１０２，１０３が使用されており、且つ、この三本の平衡伝送用ケーブル１０１、１０２，１０３は、図１２（Ａ）に示すように三つのかしめリング１１１、１１２，１１３が連結部１１４，１１５でもって連結されて一列に並んでいるかしめリング並び部材１１０を使用し、図１３に示すかしめ工具１３０を使用して、図１１及び図１２（Ｂ）に示すようにかしめられている。ロック構造部１２０は、かしめリング１１１、１１２，１１３が夫々変形されて六角形のかしめリング１１１Ａ、１１２Ａ，１１３Ａとなって平衡伝送用ケーブル１０１、１０２，１０３をクランプしており、且つかしめリング１１１Ａ、１１２Ａ，１１３Ａが密接して並んでいる構成である。ロック構造部１２０では三本の平衡伝送用ケーブル１０１、１０２，１０３は密接して並んでいる。
【００３４】
シールドカバー５１Ａには、ロック構造部１２０が嵌合するロック構造部嵌合溝部５５が形成してある。ロック構造部嵌合溝部５５は、六角形のかしめリング１１１Ａ、１１２Ａ，１１３Ａに対応するように凹部５６，５７，５８が密接して並んでいる形状であり、無駄がなく、Ｘ１−Ｘ２方向の寸法ｘ１は短い。よって、平衡伝送用ケーブルコネクタ５０ＡはＸ１−Ｘ２方向の外形寸法が短い。また、シールドカバー５２Ａにも同じくロック構造部嵌合溝部５９が形成してある。
【００３５】
平衡伝送用ケーブルコネクタ５０ＡのＹ１側は、ロック構造部１２０がロック構造部嵌合溝部５５、５９に嵌合して挟まれて拘束されており、三本の平衡伝送用ケーブル１０１、１０２，１０３がＹ１方向に延びている状態にある。
【００３６】
この平衡伝送用ケーブルコネクタ５０Ａは、個々の平衡伝送用ケーブル１０１、１０２，１０３が細くて曲がり易くなっているため、接続作業がし易い。また、平衡伝送用ケーブルコネクタ５０Ａは、信号の品質を維持して伝送させることが出来、しかも、平衡伝送用ケーブル１０１、１０２，１０３と中継基板７０との接続部分でのクロストークの発生を抑えることが可能であるという特性を有する。
【００３７】
図１３はかしめ工具１３０を示す。かしめ工具１３０は、下金型１３１と、上金型１３２と、左側金型１３３と、右側金型１３４とを有する。下金型１３１及び上金型１３２には対向して三角形状の凹凸部１３１ａ、１３２ａが形成してある。左側金型１３３及び右側金型１３４は、下金型１３１に取り付けてあり、通常は下金型１３１に接近した状態にあり、ハンドル１３５，１３６を操作することによって下金型１３１に対して離間される。下金型１３１と上金型１３２との間には、仮かしめ部１３７が設けてある。
【００３８】
かしめ作業は、平衡伝送用ケーブル１０１、１０２，１０３の端部をかしめリング並び部材１１０のかしめリング１１１、１１２，１１３に挿入し、これを仮かしめ部１３７にセットし上金型１３２を打ちつけてかしめリング１１１、１１２，１１３を少しつぶして楕円形として仮かしめを行い、上金型１３２を上動させ、この仮かしめしたものを凹凸部１３１ａに合わせて下金型１３１と上金型１３２との間にセットし、上金型１３２を打ちつけて、かしめリング１１１、１１２，１１３を凹凸部１３１ａ、１３２ａに沿って変形させることによって行われ、ロック構造部１２０が同時に一括して形成される。その後に、上金型１３２を上動させ、ハンドル１３５，１３６を操作して左側金型１３３及び右側金型１３４を下金型１３１から離し、ロック構造部１２０をかしめ工具１３０から取り出す。インナーリングを使用する場合は、最初に、インナーリングを平衡伝送用ケーブル１０１、１０２，１０３の端の遮蔽網組２８とアルミシールド被覆２９との間に挿入する。それ以外は上記と同様である。
【００３９】
また、図１２（Ａ）に示すかしめリング並び部材１１０に代えて、図１４（Ａ）に示すベルト形状のかしめ部材１４０を使用することも可能であり、図１３のかしめ工具１３０を使用して同時に一括してかしめられて図１４（Ｂ）に示すロック構造部１２０Ａが形成される。
【００４０】
また、図１２（Ａ）に示すかしめリング並び部材１１０に代えて、図１５（Ａ）に示す三つの独立したかしめリング１４１，１４２，１４３を使用することも可能であり、この場合にも、図１３のかしめ工具１３０を使用して同時に一括してかしめられて図１５（Ｂ）に示すロック構造部１２０Ｂが形成される。
【実施例３】
【００４１】
図１６は本発明の実施例３になる平衡伝送用ケーブルコネクタ５０Ｂを分解して示す。図１７（Ａ）は平衡伝送用ケーブルコネクタ５０Ｂを断面して示す。平衡伝送用ケーブルコネクタ５０Ｂは図５に示す平衡伝送用ケーブルコネクタ５０とは、平衡伝送用ケーブル２０Ａの端のロック構造部１５０が相違する。図１７（Ｂ）、図１８（Ｄ）はロック構造部１５０を拡大して示す。
【００４２】
ロック構造部１５０は、かしめ工具を使用しないで形成することが可能である構造であり、図１７（Ｂ）、図１８（Ｄ）に示すように、インナーリング１５１と、内周面がテーパ状であるアウターリング１６０とを組み合わせてなる構造である。
【００４３】
インナーリング１５１は、Ｙ１方向に向かうにつれて径が減少するテーパ状の外周面１５２を有し、且つ、テーパ状外周面１５２に浅い環状凸部１５３を有する。
【００４４】
アウターリング１６０は、Ｙ２方向に向かうにつれて径が増えるテーパ状の内周面１６１を有し、且つ、テーパ状内周面１６１に浅い環状凹部１６２を有し、且つ、外周面にフランジ部１６３を有し、且つ、長手方向にスリット１６４が形成してある構成である。
【００４５】
このロック構造部１５０は、図１８（Ａ）乃至（Ｃ）に示すようにして形成される。まず、図１８（Ａ）に示すように、平衡伝送用ケーブル２０Ａの端を、遮蔽網組２８の端を折り返して外部被覆２７の外周面を覆うようにし、アウターリング１６０を平衡伝送用ケーブル２０Ａに嵌合させる。２８ａは折り返えされた遮蔽網組部分である。次いで、図１８（Ｂ）に示すように、インナーリング１５１を平衡伝送用ケーブル２０Ａの先端からアルミシールド被覆２９の外周面に遮蔽網組２８及び外部被覆２７を押し広げつつ嵌合させ、遮蔽網組２８とアルミシールド被覆２９との間に挿入する。最後に、図１８（Ｃ）に示すように、アウターリング１６０をＹ２方向に移動させて、遮蔽網組２８、外部被覆２７、及び遮蔽網組部分２８ａを挟み込んで、インナーリング１５１の外周に嵌合させる。アウターリング１６０はスリット１６４が拡がるように弾性変形されてインナーリング１５１の外周にきつく嵌合される。よって、インナーリング１５１及びアウターリング１６０が遮蔽網組２８、遮蔽網組部分２８ａと電気的に接続されて平衡伝送用ケーブル２０Ａの端に固定され、ロック構造部１５０が形成される。環状凸部１５３及び環状凹部１６２は、遮蔽網組２８、外部被覆２７、及び遮蔽網組部分２８ａを変形させ、インナーリング１５１及びアウターリング１６０の平衡伝送用ケーブル２０Ａの端への機械的固定強度が高められている。
【００４６】
図１７（Ｂ）に示すように、ロック構造部１５０のフランジ部１６３がシールドカバー５１、５２の溝部５１ａ，５２ａに嵌合してＸ、Ｙ、Ｚ方向の動きを拘束されている。
【００４７】
図１９（Ｄ）は別のロック構造部１５０Ａを示す。このロック構造部１５０Ａは、インナーリング１５１とアウターリング１６０Ａとを組み合わせてなる構造である。アウターリング１６０Ａは、内周面及び外周面が共にテーパ状である形状である。ロック構造部１５０Ａは、前記と同様に図１９（Ａ），（Ｂ），（Ｃ）に示すようにして形成される。ロック構造部１５０Ａは外周面がテーパ面である。
【００４８】
このロック構造部１５０Ａは、図１９（Ｅ）に示すように、外周面がテーパ面を利用して、平衡伝送用ケーブルコネクタのシールドカバー５１Ｂ、５２Ｂから抜け出ないように固定される。
【００４９】
図２０は、シールドカバー５１Ｃ、５２Ｃの平衡伝送用ケーブルの出口部分５１Ｃａ、５２Ｃａをテーパ形状として、シールドカバー５１Ｃ、５２Ｃが上記のアウターリング１６０、１６０Ａの役割りを果たす構成としたものである。
【００５０】
平衡伝送用ケーブル２０Ａの遮蔽網組２８及び外部被覆２７は、インナーリング１５１とシールドカバー５１Ｃ、５２Ｃのテーパ形状出口部分５１Ｃａ、５２Ｃａとの間で挟まれて固定されている。
【００５１】
また、本発明は、平衡伝送用ケーブルコネクタに限らずに、通常のケーブルの端が整線されて接続されているケーブルコネクタにも適用出来る。
【図面の簡単な説明】
【００５２】
【図１】従来の平衡伝送用ケーブルコネクタの分解斜視図である。
【図２】図１の平衡伝送用ケーブルコネクタの断面図である。
【図３】図２中、線III-IIIに沿う断面であり、平衡伝送用ケーブルの端が中継基板に接続されている部分の一部を拡大して示す図である。
【図４】平衡伝送用ケーブルを示す図である。
【図５】本発明の実施例１の平衡伝送用ケーブルコネクタの分解斜視図である。
【図６】図５の平衡伝送用ケーブルコネクタの断面図である。
【図７】図６中、線VII-VIIに沿う断面であり、平衡伝送用ケーブルの端が中継基板に接続されている部分の一部を拡大して示す図である。
【図８】平衡伝送用ケーブルを示す図である。
【図９】信号ワイヤ部を形成するための装置を示す図である。
【図１０】信号ワイヤ部の別の例を示す図である。
【図１１】本発明の実施例２の平衡伝送用ケーブルコネクタの分解斜視図である。
【図１２】ロック構造部の形成を説明するための図である。
【図１３】かしめ工具を示す図である。
【図１４】別のロック構造部の形成を説明するための図である。
【図１５】更に別のロック構造部の形成を説明するための図である。
【図１６】本発明の実施例３の平衡伝送用ケーブルコネクタの分解斜視図である。
【図１７】図１６の平衡伝送用ケーブルコネクタの断面図である。
【図１８】ロック構造部の形成を説明するための図である。
【図１９】別のロック構造部の形成を説明するための図である。
【図２０】ロック構造部を平衡伝送用ケーブルコネクタへ固定する構造の変形例を示す図である。
【符号の説明】
【００５３】
２０Ａ  平衡伝送用ケーブル
２１  ペア電線
２２−１、２２−２  第１、第２の被覆信号電線
２３−１、２３−２  第１、第２の信号ワイヤ
２３−１Ａａ、２３−２Ａａ  第１、第２の信号ワイヤ部
２４−１、２４−２  被覆部
２６  ドレンワイヤ
３５、１２０、１２０Ａ、１２０Ｂ、１５０、１５０Ａ  ロック構造部
５０、５０Ａ，５０Ｂ  平衡伝送用ケーブルコネクタ
６０  プラグ組立体
６１  ブロック体
６２，６３  信号コンタクト
６４  グランドコンタクト
７０  中継基板
７３  信号パターン
７４，７５  グランドパターン
７６  第１の端子パッド
７７  第２の端子パッド
８０  電線整線部材
９０、９１  電気絶縁性の合成樹脂部
１０１、１０２，１０３  細い平衡伝送用ケーブル
１１０  かしめリング並び部材
１３０  かしめ工具
１４０  ベルト形状のかしめ部材
１５１  インナーリング
１６０、１６０Ａ  アウターリング
【図１】
2006260850.tif 000003
【図２】
2006260850.tif 000004
【図３】
2006260850.tif 000005
【図４】
2006260850.tif 000006
【図５】
2006260850.tif 000007
【図６】
2006260850.tif 000008
【図７】
2006260850.tif 000009
【図８】
2006260850.tif 000010
【図９】
2006260850.tif 000011
【図１０】
2006260850.tif 000012
【図１１】
2006260850.tif 000013
【図１２】
2006260850.tif 000014
【図１３】
2006260850.tif 000015
【図１４】
2006260850.tif 000016
【図１５】
2006260850.tif 000017
【図１６】
2006260850.tif 000018
【図１７】
2006260850.tif 000019
【図１８】
2006260850.tif 000020
【図１９】
2006260850.tif 000021
【図２０】
2006260850.tif 000022